(57)【要約】      （修正有）【課題】製作が容易であって、かつ、型崩れがなく洗濯しての繰り返し使用可能であると共に、装飾性を有し、廃棄に際しては自然に還元される環境に優しいマスクを提供する。【解決手段】マスク１００は、少なくとも、再生可能な植物資源を原料に合成された生分解性繊維１００％で構成された表部材１０と、再生可能な植物資源を原料に合成された生分解性繊維１００％のメッシュ体で構成されている裏部材とを重合し、周縁１５を固着した構成を基本的に具備している。【選択図】図１
0003121691.tif 000002
【実用新案登録請求の範囲】
【請求項１】
少なくとも、表部材と裏部材とを重合し、周縁を固着してなるマスクにおいて、
前記表部材は再生可能な植物資源を原料に合成された生分解性繊維１００％で構成され、前記裏部材は、再生可能な植物資源を原料に合成された生分解性繊維１００％で構成されたメッシュ体で構成されていることを特徴とするマスク。
【請求項２】
前記表部材はバイヤス生地で構成されている請求項１記載のマスク。
【請求項３】
前記表部材はリボンを編織して構成されていることを特徴とする請求項１または２記載のマスク。
【請求項４】
前記表部材はリボンを並設し、両端縁を裏部材に溶着固定されている請求項１記載のマスク。
【請求項５】
前記裏部材は襞方向を横方向としたプリーツ加工が施されていることを特徴とする請求項１乃至４のいずれか１項に記載のマスク。
【請求項６】
前記表部材と裏部材のメッシュ体は重合して襞方向を横方向としたプリーツが形成されていることを特徴とする請求項１または２記載のマスク。
【請求項７】
前記表部材は再生可能な植物資源を原料に合成された生分解性繊維１００％で構成されたネットをプリーツ成形した部材であることを特徴とする請求項１または２記載のマスク。
【請求項８】
前記表部材、裏部材は染色されている請求項１乃至７のいずれか１項に記載のマスク。
【請求項９】
前記マスクは縦横寸法を大きくした大型サイズ、縦横寸法を小さくした小型サイズ、前記大型サイズと小型サイズの中間となる中型サイズなど複数のサイズを有する請求項１乃至８のいずれか１項に記載のマスク。
【考案の詳細な説明】
【技術分野】
【０００１】
この考案はポリ乳酸繊維を用いたマスクに関し、さらにファッション（装飾）性を有するマスクに関する。
【背景技術】
【０００２】
従来のマスクはガーゼなどの綿織物を重合する、あるいは、不織布を成型して構成するものがほとんどであった。
ガーゼを折り畳んで形成したマスクは洗濯することにより繰り返し使用可能ではあるが、綿糸のため疲労が激しく、また、乾燥に時間を要した。また、表面に絵柄などをプリントしたものもあるが、口元を覆うマスクに対して石油系の染料は肌に刺激的であり、かつ絵柄は子供の興味を引くための幼稚なデザインがほとんどであった。
また、不織布の成型品は製作が容易で、経済的に提供できるので使い捨ての短期ライフサイクルでの使用に適しているが、資源の浪費となると共に、装飾性の無い無味乾燥なマスクであった。
【０００３】
素材を考慮したマスクは下記の特許文献に開示されている。
【特許文献１】特開２０００−１１６８０４号公報
【特許文献２】特開２００１−２４５９９７号公報
【特許文献３】特開２００５−１０３２０１号公報
【考案の開示】
【考案が解決しようとする課題】
【０００４】
そこで、本考案は製作が容易であって、かつ、型崩れがなく洗濯しての繰り返し使用可能であると共に、装飾性を有し、廃棄に際しては自然に還元される環境に優しいマスクを提供する。
【課題を解決するための手段】
【０００５】
本考案のマスクは、少なくとも、再生可能な植物資源を原料に合成された生分解性繊維１００％で構成された表部材と、再生可能な植物資源を原料に合成された生分解性繊維１００％のメッシュ体で構成されている裏部材とを重合し、周縁を固着した構成を基本的に具備している。
【考案の効果】
【０００６】
本考案のマスクは、製作が容易であって、かつ、型崩れがなく洗濯しての繰り返し使用可能であると共に、装飾性を有し、廃棄に際しては自然に還元され、環境に優しい。
【考案を実施するための最良の形態】
【０００７】
本発明の実施の形態例を図面を参照して説明する。
【実施例１】
【０００８】
実施例１を図１〜図４を参照して説明する。
本発明のマスク１００は、再生可能な植物資源を原料に合成された生分解性繊維（ポリ乳酸繊維）１００％で形成されている表部材である表布１０と、再生可能な植物資源を原料に合成された生分解性繊維（ポリ乳酸繊維）１００％で形成されるメッシュ体２０を裏部材として重合し形成さている。ここで、表布１０としてはタフタ織布、ジョーゼット、オーガンジー、あるいはネット生地などを用いている。表布１０、メッシュ体２０はバイヤス生地として用いることにより、伸縮性を有し、通気性大とすることができる。また、表地・裏地共に不織布を用いても良い。
【０００９】
横長矩形状の表布１０とメッシュ体２０を重合して四隅端縁部分に紐３０を表布１０とメッシュ体２０との間に挟持し、４辺をメルテイング処理して一体とし、紐付きのマスク１００を構成する。このとき、周縁に連続した山型１５を形成することにより、マスクに装飾性を持たせることができる。また、マスク１００を装着する人間の顔の形は大小様々であるので、縦横サイズを変えて、例えば、大・中・小のサイズ分けをすることにより、顔の大きさ・形状にかかわらずよりフット感のある装着が可能となる。
【００１０】
さらに、マスク１００装着上部の表布１０とメッシュ体２０との間に、例えば変形自在な針金のようなフィッター３５を介在させて、熱溶着固定で横方向にフィッター３５を張設することにより、鼻梁凹凸に沿ったマスク１００の装着ができる。
また、フィッター（棒体）３５に対向するマスク１００のメッシュ体２０面の下端縁にポケット布２５を配設する。メッシュ体２０とポケット布２５とで形成する袋部分に不織布・ガーゼなどのフイルター（補助部材）４０を挿入する。この補助部材４０を取り替えることにより、口・鼻部分に直接当たる部分の清潔を維持することができる。
【００１１】
このように構成するマスク１００は、抗菌性・防臭性を有するポリ乳酸繊維で構成されているので、口元に装着するマスク１００の清潔性が確保されると共に、口臭・外気臭の出入りを防止できる。さらに、速乾性を有するポリ乳酸繊維で構成されるマスク１００は洗濯しても短時間で乾燥するので、常に清潔に維持できる。また、ポリ乳酸繊維は耐熱性を有する素材であって、加熱処理温度を上げることができるので、成型加工が容易となると共に、端縁の山型１５などの装飾加工処理がしやすい。
【００１２】
本考案のマスク１００は生分解性を有する素材（ポリ乳酸繊維）を用いているので、最終的には自然環境の下で炭酸ガスと水に分解され、自然に還元される環境に優しいマスクとなる。
さらに、表裏共にバイヤス生地使用であるから伸縮性が大であって、被装着面の大きさに適応しやすく、綿布（重合したガーゼ）で作られているマスクに比べて軽量であって、型崩れがない。
さらに、表生地、裏生地であるメッシュ体を染色したカラー素材としても趣向を高めることができる。このとき、ポリ乳酸繊維の染色に使用する染料は、分散染料であるので、肌に優しく、廃棄時、繊維と同様に自然に還元される。
【実施例２】
【００１３】
この実施例は、マスク生地を折り畳んでプリーツ加工を施している。・・・図５〜図９参照
マスク表布２１０とメッシュ体２２０は実施例１と同様の素材を用い、フィッター、フイルター挿入ポケットなどの構成も同様にしてもよい。
マスク表布２１０とメッシュ体２２０はその縦長寸法Ｌ２を、マスクに形成したときの縦長寸法Ｌ１の１．５倍から２．５倍の寸法としている。そして、表布２１０とメッシュ体２２０を重合した状態で、襞形成方向を横方向にしたプリーツ加工２５０を施す（図７．図８参照）。このとき、襞山に沿って表布２１０とメッシュ体２２０を溶着固定した模様（例えば図示のような水玉など）２６０を形成することにより、装着時に表裏の布がずれることなく、かつ装飾性を備えたマスク２００となる。紐２３０を介在させて端縁４辺を溶着固定し、マスク２００を形成する。
このマスク２００は、装着時プリーツ加工２５０部分が開いて、装着面である顔の鼻梁部分を立体的に被覆する。・・・図９参照
【実施例３】
【００１４】
この実施例は、マスク表布をリボンでバイヤス布として織編して構成している。・・・図１０〜図１２参照
マスク表布３１０とメッシュ体３２０は実施例１と同様の素材を用い、フィッター、フイルター挿入ポケットなどの構成も同様にしてもよい。
マスク表布３１０はポリ乳酸繊維１００％のリボン３１０Ｔで平織りしている。このリボン３１０Ｔは図面のように波型のテープ形状であっても、直線のテープ形状あるいは縁飾りを有するテープ形状であってもよい。
リボン３１０Ｔで織編した表地３１０とメッシュ体３２０を重合し、紐３３０を介在させて端縁４辺を溶着固定し、マスク３００を形成する。
【００１５】
このマスク３００は、リボンが交差する部分が立体的となり、凸部は明るく、リボンが他のリボンの下になる部分は暗く、明暗模様を構成し、マスク表地の装飾効果、趣向を向上させる。
また、リボンが交差して重なっている部分は厚みを有し、かつ重合するリボンとリボンは自由なので、呼吸が楽に行なえると共に、呼吸に伴って空気の流出・流入によるリボンの微動がマスク表面に動く模様を形成し、さらなる趣向を向上させる。
【実施例４】
【００１６】
この実施例は、マスク表地をリボンを並設して構成している。・・・図１３〜図１７参照
マスク表地として用いられるリボン、メッシュ体４２０は実施例１と同様の素材を用い、フィッター、フイルター挿入ポケットなどの構成も同様にしてもよい。
メッシュ体４２０はその縦長寸法Ｌ２を、マスク４００に形成したときの縦長寸法Ｌ１の１．５倍から２．５倍の寸法としている。そして、メッシュ体４２０に、襞形成方向を横方向とするプリーツ加工４５０を施す（図１４参照）。そして、プリーツ加工したメッシュ体４２０の周縁に縁部リボン４１１を溶着固定してプリーツを端部で固定する。このとき紐４３０を一緒に溶着固定する。
さらに、プリーツ４５０に沿ってリボン４１３を重合してその両端を縁部リボン４１１とメッシュ体４２０に溶着固定する。
このマスク４００は、マスク表部分を形成するリボン４１３は両端が固定されているのみで、中間部分は自由となっているので、裏地のメッシュ体４２０と表部材のリボンはその動きが異なり、装着時の装飾効果、趣向が向上する。また、装着時プリーツ加工４５０部分が開いて、装着面である顔の鼻梁部分を立体的に被覆する。
【００１７】
上記実施の形態例として、縁部リボン４１１とリボン４１３を別々にメッシュ体４２０に溶着固定した場合を説明したが、プリーツ加工したメッシュ体の上部に縁部リボンとリボン体を重合して４辺を一体に熱加工することによりマスクを形成しても良い。
【実施例５】
【００１８】
この実施例は、マスク表地をプリーツ生地としている。・・・図１８〜図２０参照
マスク表地となるプリーツ生地５１０、メッシュ体５２０は実施例１と同様の素材を用い、フィッター、フイルター挿入ポケットなどの構成も同様にしてもよい。
プリーツ生地５１０はネット状の生地をプリーツ加工して、畝模様、波模様、凹凸模様などを立体的に形成している。そして、メッシュ体５２０と重ね合わせて紐５３０を挟持させて周縁を熱溶着固定しマスク５００を構成している。
このように構成したマスク５００は、表地全体に立体模様が形成されているので、装着時の装飾効果、趣向が向上する。
プリーツ加工する表生地は柄物をプリントしたものであっても良い。この場合は図２０に示すように、凹凸模様と柄模様５５５が組み合わされ、さらに装飾効果、趣向を向上させることができる。
【００１９】
以上説明したように、本考案は表生地とメッシュ体の裏生地を熱溶着することにより簡単にマスクを製作することができる。また、ポリ乳酸繊維１００％で構成される素材は、洗濯しての繰り返し使用可能であると共に、廃棄に際しては加水分解して自然に還元され、環境に優しい。さらに、装飾性が高く、白さによる清潔感のみであったマスクの常識を払拭したマスクを提供できる。
【図面の簡単な説明】
【００２０】
【図１】本考案に係るマスク斜視図
【図２】本考案に係るマスクの部材説明図
【図３】図１線Ａ−Ａ断面図
【図４】本考案に係るマスクの裏面図
【図５】実施例２のマスク正面図
【図６】実施例２の部材の説明図
【図７】プリーツ加工の説明図
【図８】図７線Ｂ−Ｂ断面図
【図９】実施例２のマスク装着説明図
【図１０】実施例３のマスクの構成説明図
【図１１】表部材の組織拡大説明図
【図１２】表部材の組織説明断面図
【図１３】実施例４のメッシュ体の説明図
【図１４】実施例３のマスク構成説明図
【図１５】実施例４のマスクの裏面図
【図１６】実施例４のマスク正面図
【図１７】図１６線Ｃ−Ｃ断面図
【図１８】実施例５の部材の説明図
【図１９】実施例５のマスク正面図
【図２０】プリント柄の実施例５のマスク正面図
【符号の説明】
【００２１】
１０，２１０，３１０，５１０  表生地
１５  山型
２０，２２０，３２０，４２０，５２０  メッシュ体
２５  ポケット部
３０，１３０，２３０，３３０，４３０，５３０  紐
３５  フィッター
４０  フイルター
１００，２００，３００，４００，５００，５５０  マスク
２５０，４５０  襞（プリーツ）
３１０Ｔ，４１１，４１３  リボン
５５５  柄模様
【図１】
0003121691.tif 000003
【図２】
0003121691.tif 000004
【図３】
0003121691.tif 000005
【図４】
0003121691.tif 000006
【図５】
0003121691.tif 000007
【図６】
0003121691.tif 000008
【図７】
0003121691.tif 000009
【図８】
0003121691.tif 000010
【図９】
0003121691.tif 000011
【図１０】
0003121691.tif 000012
【図１１】
0003121691.tif 000013
【図１２】
0003121691.tif 000014
【図１３】
0003121691.tif 000015
【図１４】
0003121691.tif 000016
【図１５】
0003121691.tif 000017
【図１６】
0003121691.tif 000018
【図１７】
0003121691.tif 000019
【図１８】
0003121691.tif 000020
【図１９】
0003121691.tif 000021
【図２０】
0003121691.tif 000022